(57)【要約】【課題】地下水にて，除湿・冷房及び加湿・暖房を行う空調装置を提供する。【解決手段】第１密閉容器１及び第２密閉容器２，冷暖房箇所９に対する冷暖房用熱交換器１０及び調湿用熱交換器１７，前記両密閉容器間の蒸気ダクト４に設けた蒸気圧縮機５を備え，前記蒸気圧縮機を前記第１密閉容器から前記第２密閉容器に向かって圧縮する方向に正回転するとき，前記第１密閉容器内における蒸発性液体を前記調湿用熱交換器に供給したのち再び当該第１密閉容器に戻すように循環する一方，地下水を前記第２密閉容器及び前記冷暖房用熱交換器に供給するように構成し，前記蒸気圧縮機を前記第２密閉容器から前記第１密閉容器に向かって圧縮する方向に逆回転するとき，前記第１密閉容器内における蒸発性液体を前記調湿用熱交換器と前記冷暖房用熱交換器の両方に供給したのち再び当該第１密閉容器に戻すように循環する一方，地下水を前記第２密閉容器に供給するように構成する。【選択図】図１
2008164187.tif 000002
【特許請求の範囲】
【請求項１】
少なくとも，減圧に維持した第１密閉容器及び第２密閉容器と，冷暖房箇所に対する間接型の冷暖房用熱交換器と，前記冷暖房箇所に対する間接型の調湿用熱交換器と，前記第１密閉容器及び第２密閉容器の相互間を接続する蒸気ダクト中に設けた正逆回転可能な蒸気圧縮機とから成り，
前記蒸気圧縮機を前記第１密閉容器から前記第２密閉容器に向かって圧縮する方向に正回転するとき，前記第１密閉容器内における蒸発性液体を前記調湿用熱交換器に供給したのち再び当該第１密閉容器に戻すように循環する一方，地下から汲み上げた地下水を前記第２密閉容器及び前記冷暖房用熱交換器に供給してこれらから排出する構成にし，
前記蒸気圧縮機を前記第２密閉容器から前記第１密閉容器に向かって圧縮する方向に逆回転するとき，前記第１密閉容器内における蒸発性液体を前記調湿用熱交換器と前記冷暖房用熱交換器との両方に供給したのちこれらから再び当該第１密閉容器に戻すように循環する一方，地下から汲み上げた地下水を前記第２密閉容器に供給してこれから排出する構成にしたことを特徴とする地下水を利用した空調装置。
【請求項２】
少なくとも，減圧に維持した第１密閉容器及び第２密閉容器と，冷暖房箇所に対する間接型の冷暖房用熱交換器と，前記冷暖房箇所に対する間接型の調湿用熱交換器と，前記第１密閉容器及び第２密閉容器の相互間を接続する蒸気ダクト中に設けた正逆回転可能な蒸気圧縮機と，二つの流体の相互間で間接熱交換を行う地下水用熱交換器とから成り，
前記第２密閉容器内における蒸発性液体を，当該第２密閉容器内と前記地下水用熱交換器における一方側との間を循環する構成にし，
前記蒸気圧縮機を前記第１密閉容器から前記第２密閉容器に向かって圧縮する方向に正回転するとき，前記第１密閉容器内における蒸発性液体を前記調湿用熱交換器に供給したのち再び当該第１密閉容器に戻すように循環する一方，地下から汲み上げた地下水を前記地下水用熱交換器における他方側及び前記冷暖房用熱交換器に供給してこれらから排出する構成にし，
前記蒸気圧縮機を前記第２密閉容器から前記第１密閉容器に向かって圧縮する方向に逆回転するとき，前記第１密閉容器内における蒸発性液体を前記調湿用熱交換器と前記冷暖房用熱交換器との両方に供給したのちこれらから再び当該第１密閉容器に戻すように循環する一方，地下から汲み上げた地下水を前記地下水用熱交換器における他方側に供給してこれから排出する構成にしたことを特徴とする地下水を利用した空調装置。
【請求項３】
前記請求項１又は２の記載において，前記蒸気圧縮機を正回転するとき，前記地下から汲み上げた地下水を，先ず前記第２密閉容器又は地下水用熱交換器における他方側に供給し，次いで前記冷暖房用熱交換器を経て排出する構成にしたことを特徴とする地下水を利用した空調装置。
【請求項４】
前記請求項１〜３のいずれかの記載において，前記冷暖房用熱交換器が，前記冷暖房箇所の内部の空気との間で間接熱交換を行う第１熱交換器と，二つの流体の相互間で間接熱交換を行う第２熱交換器と，熱媒液を前記第１熱交換器と前記第２熱交換器の一方側との間を循環するようにした循環経路とから成り，前記蒸気圧縮機を正回転するとき，地下から汲み上げた地下水を前記第２熱交換器の他方側に供給し，前記蒸気圧縮機を逆回転するとき，前記第１密閉容器から排出される蒸発性液体の一部を前記第２熱交換器における他方側に供給する構成にしたことを特徴とする地下水を利用した空調装置。
【請求項５】
前記請求項４の記載において，前記第１熱交換器が，前記冷暖房箇所における天井面又は壁面に沿って配設した輻射パネルと，この各輻射パネルに設けた流体通路とから成り，前記流体通路内に，前記第２熱交換器の一方側との間を循環する熱媒液を流するようにした構成であることを特徴とする地下水を利用した空調装置。
【請求項６】
前記請求項１〜５のいずれかの記載において，地下水を汲み上げる二つの井戸が適宜距離を隔てて設けられ，前記蒸気圧縮機を正回転するとき，前記第２密閉容器及び前記冷暖房用熱交換器又は前記第２熱交換器の他方側に供給する地下水を，前記二つの井戸のうち一方の井戸から汲み上げる一方，前記第２密閉容器及び前記冷暖房用熱交換器又は前記第２熱交換器の他方側から排出される地下水を，他方の井戸から地中に戻すように構成し，前記蒸気圧縮機を逆回転するとき，前記第２密閉容器に供給する地下水を前記他方の井戸から汲み上げる一方，前記第２密閉容器から排出される地下水を前記一方の井戸から地中に戻すように構成したことを特徴とする地下水を利用した空調装置。
【請求項７】
前記請求項１〜６のいずれかの記載において，前記蒸気圧縮機が，その回転数を変更可能な構成であることを特徴とする地下水を利用した空調装置。
【発明の詳細な説明】
【技術分野】
【０００１】
本発明は，地下水を利用して，冷房及び暖房を行うようにした空調装置に関するものである。
【背景技術】
【０００２】
先行技術としての特許文献１における明細書及び図２には，地下水を利用して冷暖房を行うようにした空調装置が記載されている。
【０００３】
この装置は，
「減圧に維持した第１密閉容器及び第２密閉容器と，冷暖房箇所との間で間接的に熱交換を行う冷暖房用熱交換器と，地下水との間で間接的に熱交換を行う放吸熱用熱交換器と，水等の蒸発性液体を前記第１密閉容器内と前記冷暖房用熱交換器との間を循環する第１循環手段と，同じく水等の蒸発性液体を前記第２密閉容器内と前記放吸熱用熱交換器との間を循環する第２循環手段とを備え，更に，前記第１密閉容器内と前記第２密閉容器内とを接続する蒸気ダクト中に，正逆回転可能なルーツ式圧縮機を設けて成る。」
という構成である。
【０００４】
この装置において冷房を行う場合には，前記ルーツ式圧縮機を，前記第１密閉容器内で発生した蒸気を前記第２密閉容器に向かって圧縮する方向に回転する。
【０００５】
これにより，前記第１密閉容器内は前記ルーツ式圧縮機による吸引にて減圧度が高くなり，この第１密閉容器内の蒸発性液体は，減圧状態で沸騰蒸発することで冷却されて前記冷暖房用熱交換器に送られたのち再び前記第１密閉容器内に戻るという循環を繰り返すことにより，冷暖房箇所を冷房する。
【０００６】
一方，前記ルーツ式圧縮機にて圧縮された蒸気は，前記第２密閉容器内に入り，ここで，当該第２密閉容器と前記放吸熱用熱交換器との間を第２循環手段を介して循環する蒸発性液体にて冷やされて凝縮し，この蒸気の凝縮にて温度が高くなった蒸発性液体は，この第２密閉容器内から前記放吸熱用熱交換器に送られたのち再び前記第２密閉容器内に戻るという循環を繰り返すことにより，前記放吸熱用熱交換器において地下水にて冷却される。
【０００７】
また，暖房を行う場合には，前記ルーツ式圧縮機を，前記第２密閉容器内で発生した蒸気を前記第１密閉容器に向かって圧縮する方向に逆回転する。
【０００８】
これにより，今度は，前記第２密閉容器内がルーツ式圧縮機の逆回転による吸引にて減圧度が高くなり，この第２密閉容器内の蒸発性液体は減圧状態で沸騰蒸発し，ここに発生した蒸気は，前記ルーツ式圧縮機にて圧縮されたのち前記第１密閉容器内に入り，ここで当該第１密閉容器と前記冷暖房用熱交換器との間を第１循環手段を介して循環する蒸発性液体にて冷やされて凝縮し，この蒸気の凝縮にて温度が高くなった蒸発性液体は，この第１密閉容器内から前記冷暖房用熱交換器に送られたのち再び前記第１容器内に戻るという循環を繰り返すことにより，前記冷暖房箇所を暖房する。
【０００９】
一方，前記第２密閉容器内において沸騰蒸発にて温度が下がった蒸発性液体は，この第２密閉容器内から前記放吸熱用熱交換器に送られたのち再び前記第２密閉容器内に戻るという循環を繰り返すことにより，前記放吸熱用熱交換器において地下水からの吸熱を行う。
というものである。
【特許文献１】特開２００６−９７９８９号公報
【発明の開示】
【発明が解決しようとする課題】
【００１０】
しかし，前記した先行技術における空調装置は，地下水で冷房と冷房を行うことができるものの，この装置によって，冷暖房箇所を，冷房と同時に除湿すること，及び暖房と同時に加湿することができず，冷暖房と同時に，除湿又は加湿の調湿を行う場合には，この調湿専用の装置を，前記冷暖房装置とは別個に設置しなければならないのであった。
【００１１】
本発明は，地下水を利用して，冷房と除湿とが同時にできるとともに，暖房と加湿とが同時にできるようにした空調装置を提供することを技術的課題とするものである。
【課題を解決するための手段】
【００１２】
この技術的課題を達成するための本発明の請求項１は，
「少なくとも，減圧に維持した第１密閉容器及び第２密閉容器と，冷暖房箇所に対する間接型の冷暖房用熱交換器と，前記冷暖房箇所に対する間接型の調湿用熱交換器と，前記第１密閉容器及び第２密閉容器の相互間を接続する蒸気ダクト中に設けた正逆回転可能な蒸気圧縮機とから成り，
前記蒸気圧縮機を前記第１密閉容器から前記第２密閉容器に向かって圧縮する方向に正回転するとき，前記第１密閉容器内における蒸発性液体を前記調湿用熱交換器に供給したのち再び当該第１密閉容器に戻すように循環する一方，地下から汲み上げた地下水を前記第２密閉容器及び前記冷暖房用熱交換器に供給してこれらから排出する構成にし，
前記蒸気圧縮機を前記第２密閉容器から前記第１密閉容器に向かって圧縮する方向に逆回転するとき，前記第１密閉容器内における蒸発性液体を前記調湿用熱交換器と前記冷暖房用熱交換器との両方に供給したのちこれらから再び当該第１密閉容器に戻すように循環する一方，地下から汲み上げた地下水を前記第２密閉容器に供給してこれから排出する構成にした。」
ことを特徴としている。
【００１３】
また，本発明の請求項２は，
「少なくとも，減圧に維持した第１密閉容器及び第２密閉容器と，冷暖房箇所に対する間接型の冷暖房用熱交換器と，前記冷暖房箇所に対する間接型の調湿用熱交換器と，前記第１密閉容器及び第２密閉容器の相互間を接続する蒸気ダクト中に設けた正逆回転可能な蒸気圧縮機と，二つの流体の相互間で間接熱交換を行う地下水用熱交換器とから成り，
前記第２密閉容器内における蒸発性液体を，当該第２密閉容器内と前記地下水用熱交換器における一方側との間を循環する構成にし，
前記蒸気圧縮機を前記第１密閉容器から前記第２密閉容器に向かって圧縮する方向に正回転するとき，前記第１密閉容器内における蒸発性液体を前記調湿用熱交換器に供給したのち再び当該第１密閉容器に戻すように循環する一方，地下から汲み上げた地下水を前記地下水用熱交換器における他方側及び前記冷暖房用熱交換器に供給してこれらから排出する構成にし，
前記蒸気圧縮機を前記第２密閉容器から前記第１密閉容器に向かって圧縮する方向に逆回転するとき，前記第１密閉容器内における蒸発性液体を前記調湿用熱交換器と前記冷暖房用熱交換器との両方に供給したのちこれらから再び当該第１密閉容器に戻すように循環する一方，地下から汲み上げた地下水を前記地下水用熱交換器における他方側に供給してこれから排出する構成にした。」
ことを特徴としている。
【００１４】
本発明の請求項３は，
「前記請求項１又は２の記載において，前記蒸気圧縮機を正回転するとき，前記地下から汲み上げた地下水を，先ず前記第２密閉容器又は地下水用熱交換器における他方側に供給し，次いで前記冷暖房用熱交換器を経て排出する構成にした。」
ことを特徴としている。
【００１５】
本発明の請求項４は，
「前記請求項１〜３のいずれかの記載において，前記冷暖房用熱交換器が，前記冷暖房箇所の内部の空気との間で間接熱交換を行う第１熱交換器と，二つの流体の相互間で間接熱交換を行う第２熱交換器と，熱媒液を前記第１熱交換器と前記第２熱交換器の一方側との間を循環するようにした循環経路とから成り，前記蒸気圧縮機を正回転するとき，地下から汲み上げた地下水を前記第２熱交換器の他方側に供給し，前記蒸気圧縮機を逆回転するとき，前記第１密閉容器から排出される蒸発性液体の一部を前記第２熱交換器における他方側に供給する構成にした。」
ことを特徴としている。
【００１６】
本発明の請求項５は，
「前記請求項４の記載において，前記第１熱交換器が，前記冷暖房箇所における天井面又は壁面に沿って配設した輻射パネルと，この各輻射パネルに設けた流体通路とから成り，前記流体通路内に，前記第２熱交換器の一方側との間を循環する熱媒液を流すようにした構成である。」
ことを特徴としている。
【００１７】
本発明の請求項６は，
「前記請求項１〜５のいずれかの記載において，地下水を汲み上げる二つの井戸が適宜距離を隔てて設けられ，前記蒸気圧縮機を正回転するとき，前記第２密閉容器及び前記冷暖房用熱交換器又は前記第２熱交換器の他方側に供給する地下水を，前記二つの井戸のうち一方の井戸から汲み上げる一方，前記第２密閉容器及び前記冷暖房用熱交換器又は前記第２熱交換器の他方側から排出される地下水を，他方の井戸から地中に戻するように構成し，前記蒸気圧縮機を逆回転するとき，前記第２密閉容器に供給する地下水を前記他方の井戸から汲み上げる一方，前記第２密閉容器から排出される地下水を前記一方の井戸から地中に戻すように構成した。」
ことを特徴としている。
【００１８】
本発明の請求項７は，
「前記請求項１〜６のいずれかの記載において，前記蒸気圧縮機が，その回転数を変更可能な構成である。」
ことを特徴としている。
【発明の効果】
【００１９】
前記請求項１に記載した構成において，蒸気圧縮機を正回転するとき，地中から汲み上げた低い温度の地下水は，冷暖房箇所に対する冷暖房用熱交換器に供給されるので，冷暖房箇所を冷房することができる。
【００２０】
前記蒸気圧縮機の正回転にて第１密閉容器内の減圧が高くなることで，この第１密閉容器内における蒸発性液体が沸騰蒸発し，この沸騰蒸発にて温度が下がった蒸発性液体は調湿用熱交換器に送られる。                                                
【００２１】
一方，前記第１密閉容器内での沸騰蒸発にて発生した蒸気は，蒸気圧縮機にて圧縮されたのち第２密閉容器内に至り，ここで，当該第２密閉容器内に供給される地下水との直接接触にて冷却されて凝縮する。
【００２２】
前記第１密閉容器内における沸騰蒸発により，この第１密閉容器から前記冷暖房箇所に対する調湿用熱交換器に送られる蒸発性液体の温度を，地下水の温度よりも前記蒸気圧縮機における圧縮比に相当する温度だけ大幅に低くすることができ，換言すると，前記調湿用熱交換器における伝熱面の表面温度を，前記冷暖房箇所における温度よりも十分に低くすることができて，その伝熱面の表面には空気中における水分の結露が発生することになるから，この結露した水を除去することで，前記冷暖房箇所を，除湿しながら冷房することができる。
【００２３】
次に，前記蒸気圧縮機を逆回転するとき，これにより，今度は，第２密閉容器内の減圧が高くなることで，当該第２密閉容器内に供給される地下水が沸騰蒸発し，この沸騰蒸発にて発生した蒸気は，前記蒸気圧縮機の逆回転にて圧縮されたのち第１密閉容器内に至り，ここで，当該第１密閉容器内における蒸発性液体との直接接触にて冷却されて凝縮される。
【００２４】
この第１密閉容器内における蒸気の凝縮にて温度が上昇した蒸発性液体は，冷暖房箇所に対する冷暖房用熱交換器に供給されるので，冷暖房箇所を暖房することができる。
【００２５】
前記第１密閉容器内における蒸気の凝縮にて温度が上昇した蒸発性液体は，前記と同時に，前記調湿用熱交換器にも送られ，この調湿用熱交換器における伝熱面の表面温度を高めるから，この伝熱面に対する散水等にて水の蒸発を行うことにより，前記冷暖房箇所を，加湿しながら暖房を行うことができる。
【００２６】
また，請求項２の記載によると，前記蒸気圧縮機を正回転して冷房仕様にしたとき，前記第２密閉容器内に至った蒸気が，地下水用熱交換器において地下水にて冷却される蒸発性液体との直接接触にて冷却されて凝縮するので，前記と同様に，前記冷暖房箇所を除湿しながら冷房することができ，前記蒸気圧縮機を逆回転して暖房仕様にしたとき，前記第２密閉容器内における蒸発性液体は，地下水用熱交換器において地下水からの熱を受けるので，前記と同様に，前記冷暖房箇所を加湿しながら暖房することができる。
【００２７】
従って，本発明によると，地下水を利用して，冷暖房箇所を，除湿しながら冷房することが確実にできるとともに，加湿しながら暖房することが確実にできる。
【００２８】
特に，請求項２に記載した構成によると，大気圧以下に減圧される前記第２密閉容器内に地下水が入ることがない状態のもとで冷暖房を行うことができるから，地下水が前記第２密閉容器内に入ることの弊害，例えば，地下水中に多量に含まれる不性ガスによる減圧度の低下，地下水によるスケール及び腐食の発生を確実に回避できる利点がある。
【００２９】
なお，請求項１のうち「地下から汲み上げた地下水を第２密閉容器及び冷暖房用熱交換器，又は地下水用熱交換器及び冷暖房用熱交換器に供給する。」には，地下水を，前記第２密閉容器及び前記冷暖房用熱交換器，又は前記地下水用熱交換器及び前記冷暖房用熱交換器とに分けて別々に同時に供給する場合，地下水を，先ず前記第２密閉容器に供給しこの第２密閉容器から前記冷暖房用熱交換器に，又は先ず前記地下水用熱交換器に供給しこの地下水用熱交換器から前記冷暖房用熱交換器に供給する場合，地下水を，先ず冷暖房用熱交換器に供給しこの冷暖房用熱交換器から第２密閉容器に，先ず前記冷暖房用熱交換器に供給しこの冷暖房用熱交換器から前記地下水用熱交換器に供給する場合を含む。
【００３０】
ところで，前記したように，冷暖房箇所における冷房を，前記したように，地下から汲み上げた地下水にて行う場合，この地下水の温度は，例えば１６℃というように，冷暖房箇所における適正温度（例えば，２５〜２８℃）よりも可成り低いことにより，前記冷暖房用熱交換器の伝熱面と前記冷暖房箇所との間における温度差が大きいから，前記冷暖房用熱交換器における伝熱面には，結露が発生するおそれが大きい。
【００３１】
これに対しては，前記請求項３に記載したように，地下から汲み上げた地下水を，先ず，先ず前記第２密閉容器又は地下水用熱交換器における他方側に供給し，次いで前記冷暖房用熱交換器を経て排出する構成にすることを提案する。
【００３２】
これにより，前記地下水は，前記第２密閉容器内における蒸気の凝縮で温度が高くなった状態で前記冷暖房用熱交換器に送られるか，又は，前記地下水用熱交換器における熱交換で温度が高くなった状態で前記冷暖房用熱交換器に送られることにより，前記冷暖房用熱交換器の伝熱面と前記冷暖房箇所との間における温度差が，前記第２密閉容器内において蒸気の凝縮を行う分だけ小さくなるから，前記冷暖房用熱交換器における伝熱面に結露が発生することを確実に低減できる。
【００３３】
また，冷暖房箇所における冷房を，前記したように，地下から汲み上げた地下水にて行う場合，前記冷暖房用熱交換器に，前記したように結露が発生するおそれが大きいことに加えて，前記地下水による腐食及びスケールが発生するおそれが大きい。
【００３４】
これに対しては，前記請求項４に記載したように，前記冷暖房用熱交換器を，前記冷暖房箇所の内部の空気との間で間接熱交換を行う第１熱交換器と，二つの流体の相互間で間接熱交換をを行う第２熱交換器と，熱媒液を前記第１熱交換器と前記第２熱交換器における一方側との間を循環するようにした循環経路とで構成して，前記蒸気圧縮器を正回転するとき，地下から汲み上げた地下水又は前記第２熱交換器における他方側に供給する一方，前記蒸気圧縮機を逆回転するとき，前記第１密閉容器から排出される蒸発性液体の一部を前記第２熱交換器における他方側に供給するという構成にすることを提案する。
【００３５】
これにより，前記冷暖房用熱交換器を構成する第１熱交換器と前記第２熱交換器との間を循環する熱媒液に，地下水以外の熱媒液を使用できるから，地下水による腐食及びスケールの発生を確実に回避できるのであり，しかも，冷房を行う場合に，第１熱交換器の伝熱面における温度は，第２熱交換器において地下水と熱媒液との間で間接熱交換を行うことに必要な温度差（例えば，２〜５℃程度）の分だけ下がり，冷暖房箇所との間における温度差が小さくなるから，前記第１熱交換器の伝熱面に結露が発生することを確実に低減できる。
【００３６】
特に，この請求項４に記載した構成においては，請求項３に記載したのと同様に，地下から汲み上げた地下水を，先ず前記第２密閉容器に供給し，この第２密閉容器から前記冷暖房用熱交換器における第２熱交換器に供給するか，又は，先ず前記地下水用熱交換器に供給し，この地下水用熱交換器から前記冷暖房用熱交換器における第２熱交換器にし，ここの第２熱交換器から排出するように構成することにより，前記第２熱交換器には，前記第２密閉容器において蒸気の凝縮で暖められた地下水が供給されるから，第１熱交換器の伝熱面における温度を，前記冷暖房箇所における温度を越えない状態において，前記冷暖房箇所における温度に更に近づけることができ，結露の発生より確実に低減できる利点がある。
【００３７】
なお，前記調湿用熱交換器及び第１熱交換器は，前記冷暖房箇所の内部に設置するか，又は前記冷暖房箇所における空気循環経路中に設置するか，或いは前記冷暖房箇所への新規空気の導入経路中に設置するという構成にできる。
【００３８】
また，前記請求項４に記載した構成においては，前記請求項５に記載したように，前記第１熱交換器を，前記冷暖房箇所における天井面又は壁面に沿って配設した輻射パネルと，この各輻射パネルに設けた流体通路とで構成し，前記流体通路内に，前記第２熱交換器との間を循環する熱媒液を流する構成にできる。
【００３９】
この構成により，前記冷暖房箇所との間で間接熱交換を行うための伝熱面の面積を大幅に増大できるから，冷房及び暖房の性能を，腐食，スケール及び結露の発生を抑制した状態のもとで，大幅に向上できる利点がある。
【００４０】
更に，請求項６に記載した構成にすることにより，以下に述べる効果を有する。
【００４１】
すなわち，前記蒸気圧縮機を正回転しての冷房時において，第２密閉容器内で圧縮蒸気を凝縮することで温度が上昇した地下水を，第２の井戸から地中に戻して，この第２の井戸の付近に蓄え，この蓄えた高い温度の地下水を，前記蒸気圧縮機を逆回転しての暖房時において，前記第２の井戸から汲み上げて前記第２密閉容器に供給して，暖房を行う場合の熱源にすることができる。
【００４２】
一方，前記蒸気圧縮機を逆回転しての暖房時において，第２密閉容器内の沸騰蒸発にて温度が下がった地下水を，第１の井戸から地中に戻して，この第１の井戸の付近に蓄え，この蓄えた低い温度の地下水を，前記蒸気圧縮機を正回転しての冷房時において，前記第１の井戸から汲み上げて前記第２密閉容器及び前記冷暖房用熱交換器又は第２熱交換器の他方側に供給して，冷房を行う場合の冷却源にすることができるから，冷房及び暖房の効率を大幅に向上できる。
【００４３】
また，前記冷房及び暖房に際しての負荷は，請求項７に記載したように，前記蒸気圧縮機における回転数を変更することによって，任意に増減するように調節できる。
【発明を実施するための最良の形態】
【００４４】
以下，本発明における第１の実施の形態を，図１〜図３の図面について説明する。
【００４５】
この図において，符号１は，第１密閉容器を，符号２は，第２密閉容器を各々示し，これら両密閉容器１，２のうちいずれか一方又は両方には，当該両密閉容器１，２内を大気圧より低い減圧に維持するための真空ポンプ３等の真空発生装置が接続されている。
【００４６】
また，前記第１密閉容器１の上部と前記第２密閉容器２の上部の間は，蒸気ダクト４を介して互いに接続され，この蒸気ダクト４の途中には，正逆回転可能な蒸気圧縮機としての一つの例であるところのルーツ式圧縮機５が設けられている。
【００４７】
このルーツ式圧縮機５は，電動モータ５ａ又は内燃機関等にて回転駆動され，その回転数を変更するための変速機構５ｂを備えている。
【００４８】
前記第１密閉容器１と前記第２密閉容器２の相互間は，その各々における水が互いに往来するように，底部における連通路６を介して接続されており，加えて，前記両密閉容器１，２内の上部には，水散布ノズル７，８が各々設けられている。
【００４９】
次に，符号９は，室内等のように冷房と暖房を行う箇所，つまり冷暖房箇所を，符号１０は，前記冷暖房箇所９に対する間接熱交換型の冷暖房用熱交換器を各々示す。
【００５０】
前記冷暖房用熱交換器１０は，前記冷暖房箇所９内等に設置することで当該冷暖房箇所９における空気との間で間接的に熱交換するようにした少なくとも一つの第１熱交換器１１と，前記冷暖房箇所９の外等の適宜箇所に設置されて二つの流体の相互間で間接的に熱交換を行うようにした第２熱交換器１２と，水等の熱媒液を前記第１熱交換器１１と前記第２熱交換器１２の一方側１２ａとの間を循環させるようにした循環経路１３，１４と，この循環経路１３，１４のうち一方に設けた循環ポンプ１５とで構成されている。
【００５１】
本実施の形態の場合，前記少なくとも一つの第１熱交換器１１は，二つの熱交換器１１ａ，１１ｂを直列接続したものに構成している。
【００５２】
なお，前記第１熱交換器１１は，冷暖房箇所９の内部に設置するか，又は前記冷暖房箇所９における空気循環経路中に設置するか，或いは前記冷暖房箇所９への新規空気の導入ダクト（図示せず）中に設置するという構成にしている。
【００５３】
一方，前記冷暖房箇所９には，新規空気の導入ダクト１６を接続して，この導入ダクト１６内に，新規空気との間で間接的に熱交換を行うようにした調湿用熱交換器１７と，この調湿用熱交換器１７の伝熱面に対する水散布ノズル１８とが設けられている。
【００５４】
一方，地面１９には，二つの井戸２０，２１が，適宜距離Ｌを隔てて掘削されており，この両井戸２０，２１のうち一方の井戸２０からポンプ２２にて汲み上げた地下水，及び，他方の井戸２１からポンプ２３にて汲み上げた地下水を，各々開閉弁２４，２５を備えた管路２６，２７を介して前記第２密閉容器２における水散布ノズル８に供給して第２密閉容器２内に噴出するように構成している。
【００５５】
前記第２密閉容器２内における地下水を，ポンプ２８にて汲み出し，開閉弁２９を備えた管路３０を介して前記一方の井戸２０から地中に戻すように構成するとともに，開閉弁３１を備えた管路３２を介して前記第２熱交換器１２の他方側１２ｂに供給するように構成している。
【００５６】
前記第１密閉容器１内における水等の蒸発性液体を，ポンプ３３にて汲み出し，開閉弁３４を備えた管路３５を介して前記第２熱交換器１２の他方側１２ｂに供給するとともに，開閉弁３６を備えた管路３７を介して前記調湿用熱交換器１７に供給するように構成している。
【００５７】
更に，前記調湿用熱交換器１７から排出される蒸発性液体を，管路３８を介して前記第１密閉容器１における水散布ノズル７に供給して第１密閉容器１内に噴出するように構成しており，加えて，前記第２熱交換器１２の他方側１２ｂから排出される地下水を，開閉弁３９を備えた管路４０を介して前記他方の井戸２１から地中に戻すとともに，開閉弁４１を備えた管路４２を介して前記第１密閉容器１における水散布ノズル７に供給するように構成している。
【００５８】
この構成において，冷房仕様とするときには，図２に示すように操作する。
【００５９】
すなわち，前記ルーツ式圧縮機５を，前記第１密閉容器１から前記第２密閉容器２に向かって圧縮する方向に正回転する一方，前記各種の開閉弁のうち開閉弁２４，３１，３６及び３９を開いて，開閉弁２５，２９，３４及び４１を閉じ，更に，前記各種のポンプのうちポンプ１５，２２，２８，３３を運転し，ポンプ２３を運転停止にする。
【００６０】
この操作により，一方の井戸２０からポンプ２２にて地中から汲み上げられた地下水は，第２密閉容器２内における水散布ノズル８に管路２６を介して送られて噴出し，この第２密閉容器２内からポンプ２８及び管路３２を介して前記冷暖房用熱交換器１０を構成する第２熱交換器１２の他方側１２ｂに送られ，この第２熱交換器１２の他方側１２ｂから排出され，管路４０を介して他方の井戸２１に送られ，この他方の井戸２１から地中に戻される。
【００６１】
一方，前記第１密閉容器１内における水等の蒸発性液体は，ポンプ３３及び管路３７を介して前記調湿用熱交換器１７に供給され，この調湿用熱交換器１７から前記第１密閉容器１内における水散布ノズル７に管路３８を介して送られて噴出するという循環を繰り返す。
【００６２】
また，前記冷暖房用熱交換器１０における熱媒液は，管路１３，１４及び循環ポンプ１５にて，当該冷暖房用熱交換器１０を構成する第１熱交換器１１と，第２熱交換器１２の一方側１２ａとの間を循環する。
【００６３】
この状態で，前記ルーツ式圧縮機５が正回転することにより，第１密閉容器１内の減圧が高くなることで，この第１密閉容器１内における水等の蒸発性液体が沸騰蒸発し，この沸騰蒸発にて温度が下がった蒸発性液体は調湿用熱交換器１７に送られる。
【００６４】
一方，前記第１密閉容器１内での沸騰蒸発にて発生した蒸気は，ルーツ式圧縮機５にて圧縮されたのち第２密閉容器２内に至り，ここで，当該第２密閉容器２内に供給される地下水との直接接触にて冷却されて凝縮される。
【００６５】
前記第２密閉容器２内において蒸気を凝縮した地下水は，前記冷暖房用熱交換器１０を構成する第２熱交換器１２の他方側１２ｂに送られ，この第２熱交換器１２の一方側１２ａと第１熱交換器１１との間を循環する熱媒液と熱交換して，この熱媒液を冷すから，前記冷暖房箇所９を冷房することができる。
【００６６】
前記第１密閉容器１内における沸騰蒸発により，この第１密閉容器１から前記冷暖房箇所９に対する調湿用熱交換器１７に送られる蒸発性液体の温度を，地下水の温度よりも前記ルーツ式圧縮機５における圧縮比に相当する温度だけ低くすることができ，換言すると，前記調湿用熱交換器１７における伝熱面の表面温度を，前記冷暖房箇所９における温度よりも十分に低くすることができて，その伝熱面の表面には空気中における水分の結露が発生することになるから，結露を除去することで，前記冷暖房箇所９を，除湿しながら冷房を行うことができる。
【００６７】
また，前記第２密閉容器２内における地下水は，蒸気の凝縮によって，その温度が前記冷暖房箇所９の温度に近づくように上昇したのち，前記第２熱交換器１２の他方側１２ｂに送られて，ここで，この第２熱交換器１２の一方側１２ａと第１熱交換器１１との間を循環する熱媒液と熱交換する。
【００６８】
この熱交換により，前記熱媒液の温度を，前記冷暖房箇所９の温度を越えることがない状態のもとで，当該冷暖房箇所９の温度に近づけることができるから，前記第１熱交換器１１と前記冷暖房箇所９との間の温度差を小さくできて，前記第１熱交換器１１における前記冷暖房箇所９側の伝熱面に結露が発生することを回避できる。
【００６９】
次に，暖房の仕様とするときには，図３に示すように操作する。
【００７０】
すなわち，前記ルーツ式圧縮機５を，前記第２密閉容器２から前記第１密閉容器１に向かって圧縮する方向に逆回転する一方，前記各種の開閉弁のうち開閉弁２５，２９，３４，３６及び４１を開いて，開閉弁２４，３１及び３９を閉じ，更に，前記各種のポンプのうちポンプ１５，２３，２８，３３を運転し，ポンプ２２を運転停止にする。
【００７１】
この操作により，他方の井戸２１からポンプ２３にて地中から汲み上げられた地下水は，第２密閉容器２内における水散布ノズル８に管路２６を介して送られて噴出し，この第２密閉容器２内からポンプ２８及び管路３０を介して一方の井戸２０に送られ，この一方の井戸２０から地中に戻される。
【００７２】
一方，前記第１密閉容器１内における水等の蒸発性液体は，ポンプ３３にて汲み出され，管路３７を介して前記調湿用熱交換器１７に供給されるとともに，管路３５を介して前記第２熱交換器１２の他方側１２ｂに供給され，これら調湿用熱交換器１７及び第２熱交換器１２の他方側１２ｂから管路３８及び管路４２を介して前記第１密閉容器１内における水散布ノズル７に送られて噴出するという循環を繰り返す。
【００７３】
この場合，前記第１密閉容器１からポンプ３３にて汲み出された蒸発性液体の前記調湿用熱交換器１７及び前記第２熱交換器１２に対する供給比率は，開閉弁３４，３６の開度調節によって任意に設定できる。
【００７４】
また，前記冷暖房用熱交換器１０における熱媒液は，管路１３，１４及び循環ポンプ１５にて，当該冷暖房用熱交換器１０を構成する第１熱交換器１１と，第２熱交換器１２の一方側１２ａとの間を循環する。
【００７５】
この状態で，前記ルーツ式圧縮機５が逆回転することにより，今度は，第２密閉容器２内の減圧が高くなることで，この第２密閉容器２内における地下水が沸騰蒸発し，この沸騰蒸発にて温度が下がった地下水は，一方の井戸２０から地中に戻される。
【００７６】
一方，前記第２密閉容器２内での沸騰蒸発にて発生した蒸気は，ルーツ式圧縮機５にて圧縮されたのち第１密閉容器１内に至り，ここで，当該第１密閉容器１内における水等の蒸発性液体との直接接触にて冷却されて凝縮される。
【００７７】
前記第１密閉容器１内において蒸気を凝縮することで温度が高くなった蒸発性液体は，前記冷暖房用熱交換器１０を構成する第２熱交換器１２の他方側１２ｂと，前記調湿用熱交換器１７との両方に送られる。
【００７８】
前記第１密閉容器１から第２熱交換器１２の他方側１２ｂに送られた蒸発性液体は，この第２熱交換器１２の一方側１２ａと第１熱交換器１１との間を循環する熱媒液と熱交換して，この熱媒液を暖めるから，前記冷暖房箇所９を暖房することができる。
【００７９】
また，前記第１密閉容器１から前記調湿用熱交換器１７に送られた蒸発性液体は，この調湿用熱交換器１７における伝熱面の温度を高くするから，この伝熱面に水散布ノズル１８にて散水して，水分の蒸発を行うことにより，前記冷暖房箇所を，加湿しながら暖房を行うことができる。
【００８０】
また，前記実施の形態においては，地中のうち一方の井戸２０における付近に，暖房仕様にしたときに前記第２密閉容器２内での沸騰蒸発にて温度が低くなった地下水を戻して蓄え，次いで，冷房仕様にしたときに，前記一方の井戸２０における付近に蓄えた温度の低い地下水を汲み上げて，冷房を行う場合の冷却源にしている。
【００８１】
一方，地中のうち他方の井戸２１における付近に，冷房仕様にしたときに前記第２密閉容器２内での蒸気の凝縮にて温度が高くなった地下水を戻して蓄え，次いで，暖房にしたときに，前記他方の井戸２１における付近に蓄えられている温度の高い地下水を汲み上げて，暖房を行う場合の熱源にしている。
【００８２】
従って，前記二つの井戸２０，２１間の距離Ｌは，その各々における地下水が互いに混じり合うことがないように設定することが好ましい。
【００８３】
更にまた，前記実施の形態においては，冷房仕様にした場合において，前記ルーツ式圧縮機５を正回転するときの回転数を加速すると，第１密閉容器１内の減圧度が高くなり沸騰蒸発する蒸発性液体の温度が下がるから，前記冷暖房箇所９における冷房負荷を増大できる一方，暖房仕様にした場合において，前記ルーツ式圧縮機５を逆回転するときの回転数を加速すると，前記第１密閉容器１内の減圧度が下がり，蒸発性液体の温度が上がることになるから，前記冷暖房箇所９における暖房負荷を増大できるというように，前記冷暖房箇所９における冷房負荷及び暖房負荷を，前記ルーツ式圧縮機５を正回転又は逆回転するときの回転数を増減するように制御することで任意に調節できる。
【００８４】
加えて，前記実施の形態においては，前記冷暖房箇所９に対する冷暖房用熱交換器１０を，第１熱交換器１１と，第２熱交換器１２と，その間における熱媒液の循環経路とで構成したことにより，第１熱交換器１１と前記第２熱交換器１２との間を循環する熱媒液に，地下水以外の熱媒液を使用できるから，地下水による腐食及びスケールの発生を確実に回避できるのであり，しかも，冷房を行う場合に，第１熱交換器１１の伝熱面における温度は，第２熱交換器１２において地下水と熱媒液との間で間接熱交換を行うことに必要な温度差の分だけ下がるから，冷暖房箇所との間における温度差を小さくできる。
【００８５】
その上，前記実施の形態においては，冷房仕様のとき，一方の井戸２０から汲み上げた地下水を，先ず，前記第２密閉容器２に供給し，この第２密閉容器２から前記第２熱交換器１２の他方側１２ｂに供給するという構成にしたことにより，前記第２熱交換器１２の他方側１２ｂには，前記第２密閉容器２において蒸気の凝縮で暖められた地下水が供給されるから，第１熱交換器１１の伝熱面における温度を，前記冷暖房箇所９における温度を越えない状態において，前記冷暖房箇所９における温度に更に近づけることができる。
【００８６】
なお，前記実施の形態は，正逆回転可能で，且つ，回転数変更可能な蒸気圧縮機としてルーツ式圧縮機を使用した場合であったが，本発明はこれに限らず，可動翼式圧縮機又はねじ式圧縮機等のような回転型圧縮機を使用できることはいうまでもない。
【００８７】
そして，図４は，前記冷暖房箇所９に対する冷暖房用熱交換器１０を構成する第１熱交換器における一つの具体例を示す。
【００８８】
この具体例の第１熱交換器１１′は，前記冷暖房箇所９を構成する天井又は壁面に沿って並べて配設した複数枚の輻射パネル１１ａ′と，この各輻射パネル１１ａ′の各々に設けたパイプ状流体通路１１ｂ′とから成り，前記各輻射パネル１１ａ′における流体通路１１ｂ″内に，前記第２熱交換器１２との間を循環する熱媒液を管路１３，１４にて流すことにより，前記冷暖房箇所９を冷房又は暖房するように構成したものである。
【００８９】
なお，前記輻射パネル１１ａ′及びこれに設けたパイプ状流体通路１１ｂ′は，アルミニウム等のように，軽量で且つ熱伝達に優れた材料製にすることが好ましい。
【００９０】
この構成によると，前記輻射パネル１１ａ′の全体が，これに設けたパイプ状流体通路１１ｂ′内を流れる熱媒液にて冷やされるか，暖められることにより，前記冷暖房箇所９に対する伝熱面の面積を大幅に増大できる利点がある。
【００９１】
この図４に示した構造の第１熱交換器１１′を，図１に示すように，直列接続の二つの第１熱交換器１１ａ，１１ｂにする場合には，熱媒液の流れに対して上流側に位置する一方の第１熱交換器における流体通路１１ｂ′付き輻射パネル１１ａ′の複数枚を，前記冷暖房箇所９を構成する壁面に沿って縦向きに延びるように配設する一方，熱媒液の流れに対して下流側に位置する他方の第１熱交換器における流体通路１１ｂ′付き輻射パネル１１ａ′の複数枚を，前記冷暖房箇所９を構成する天井面に沿って延びるように配設するという構成にすることができる。
【００９２】
このように構成することで，壁面に配設した一方の第１熱交換器における輻射パネル１１ａ′の表面には結露が発生し易いが，この結露は，輻射パネル１１ａ′は縦向きであることによりこれに沿って容易に流下させることができる。
【００９３】
そして，図５は，第２の実施の形態を示す。
【００９４】
この第２の実施の形態は，前記第２密閉容器２内に地下から汲み上げた地下水を供給するという構成にすることに代るものである。
【００９５】
すなわち，二つの流体の相互間で間接的に熱交換を行うようにした地下水用熱交換器４３を別に設けて，前記第２密閉容器２内に入れた水等の蒸発性液体を当該第２密閉容器２と，前記地下水用熱交換器４３における一方側４３ａとの間を循環ポンプ４４にて循環するように構成する一方，両井戸２０，２１から汲み上げた地下水を，前記地下水用熱交換器４３における他方側４３ｂに供給し，この他方側４３ｂから排出するように構成したものであり，その他の構成は，前記第１の実施の形態と同様である。
【００９６】
この構成によると，前記ルーツ圧縮機５等の蒸気圧縮機を正回転して冷房仕様にしたとき，前記第２密閉容器２内に至った蒸気が，地下水用熱交換器４３において地下水にて冷却される蒸発性液体との直接接触にて冷却されて凝縮するので，前記と同様に，前記冷暖房箇所９を除湿しながら冷房することができ，前記ルーツ圧縮機５等の蒸気圧縮機を逆回転して暖房仕様にしたとき，前記第２密閉容器２内における蒸発性液体は，地下水用熱交換器４３において地下水からの熱を受けるので，前記と同様に，前記冷暖房箇所を加湿しながら暖房することができる。
【００９７】
なお，この第２の実施の形態に対しても，前記第１の実施の形態において説明した各種の変形形態を適用できることはいうまでもない。
【図面の簡単な説明】
【００９８】
【図１】本発明における第１の実施の形態を示す図である。
【図２】冷房仕様にした場合を示す図である。
【図３】暖房仕様にした場合を示す図である。
【図４】冷暖房用熱交換器を構成する第１熱交換器の具体例を示す斜視図である。
【図５】本発明における第２の実施の形態を示す図である。
【符号の説明】
【００９９】
１                    第１密閉容器
２                    第２密閉容器
３                    真空ポンプ
４                    蒸気ダクト
５                    ルーツ式圧縮機（蒸気圧縮機）
６                    連通路
９                    冷暖房箇所
１０                  冷暖房用熱交換器
１１                  冷暖房用熱交換器を構成する第１熱交換器
１２                  冷暖房用熱交換器を構成する第２熱交換器
１２ａ                第２熱交換器の一方側
１２ｂ                第２熱交換器の他方側
１３，１４            循環管路
１５                  循環ポンプ
１７                  調湿用熱交換器
１８                  水散布ノズル
２０                  一方の井戸
２１                  他方の井戸
４３                  地下水用熱交換器
４３ａ                地下水用熱交換器の一方側
４３ｂ                地下水用熱交換器の他方側
【図１】
2008164187.tif 000003
【図２】
2008164187.tif 000004
【図３】
2008164187.tif 000005
【図４】
2008164187.tif 000006
【図５】
2008164187.tif 000007